(57)【要約】【課題】  新規構造の制動体付き打掛錠を提供する。【解決手段】  本発明の制動体付き打掛錠は、固定体と回転体と制動体を備えている。制動体は固定体に設けられている。制動体はストップ体とプッシャーを備えている。回転体にはストップ体が係止する係止受け部が設けられている。この制動体付き打掛錠では、プッシャーによってストップ体が係止受け部に係止すると回転体の回転が規制され、回転体を解錠方向に回転させてストップ体が回転体の係止受け部から脱出させると回転体の回転規制が解除される。ストライクを備えた打掛錠では、制動体をストライクに設けることもできる。この場合も、ストップ体が係止受け部に係止すると回転体の回転が規制され、ストップ体が係止受け部から脱出すると回転体の回転の規制が解除される。回転体に解除ピースを設けて、その解除ピースで回転規制を解除できるようにしてもよい。【選択図】図１
2020147945.tif 000002
【特許請求の範囲】
【請求項１】
扉及び袖パネルのいずれか一方に設置される固定体と、当該固定体に回転可能に取り付けられた回転体と、回転体の回転を規制する制動体を備えた制動体付き打掛錠において、
前記制動体は前記固定体に設けられ、
前記制動体は、前記回転体に係止して当該回転体の回転を規制するストップ体と、当該ストップ体を回転体に係止する方向に移動させるプッシャーを備え、
前記回転体に前記ストップ体が係止する係止受け部が設けられ、
前記プッシャーによって前記ストップ体が前記回転体の係止受け部に係止すると、当該回転体の回転が規制され、
前記回転が規制された回転体を解錠方向に回転させることによって、前記ストップ体が前記回転体の係止受け部から脱出すると、当該回転体の回転の規制が解除される、
ことを特徴とする制動体付き打掛錠。
【請求項２】
扉及び袖パネルのいずれか一方に設置される固定体と、当該固定体に回転可能に取り付けられた回転体と、回転体の回転を規制する制動体と、当該回転体を支持するストライクを備えた制動体付き打掛錠において、
前記制動体は前記ストライクに設けられ、
前記制動体は、前記回転体に係止して当該回転体の回転を規制するストップ体と、当該ストップ体を回転体に係止する方向に移動させるプッシャーを備え、
前記回転体に前記ストップ体が係止する係止受け部が設けられ、
前記プッシャーによって前記ストップ体が前記回転体の係止受け部に係止すると、当該回転体の回転が規制され、
前記回転が規制された回転体を解錠方向に回転させることによって、前記ストップ体が前記回転体の係止受け部から脱出すると、当該回転体の回転の規制が解除される、
ことを特徴とする制動体付き打掛錠。
【請求項３】
請求項１又は請求項２記載の制動体付き打掛錠において、
回転体に係止したストップ体を回転体から離れる方向に移動させる解除ピースを備え、
前記解除ピースによって、前記ストップ体が前記回転体の係止受け部から脱出すると、当該回転体の回転の規制が解除される、
ことを特徴とする制動体付き打掛錠。
【請求項４】
請求項１から請求項３のいずれか１項に記載の制動体付き打掛錠において、
回転体はロックレバーを備え、
ストップ体が係止する係止受け部が前記ロックレバーに設けられた、
ことを特徴とする制動体付き打掛錠。
【請求項５】
請求項１から請求項４のいずれか１項に記載の制動体付き打掛錠において、
解除ピースが対向して二つ設けられ、
前記両解除ピースの一方のみを押し込んだ場合にはストップ体は係止受け部から脱出せず、
前記両解除ピースの双方を押し込んだ場合にはストップ体は係止受け部から脱出する、
ことを特徴とする制動体付き打掛錠。
【請求項６】
請求項５記載の制動体付き打掛錠において、
いずれか一方の解除ピースに磁石が設けられ、又はいずれか一方の解除ピースが磁石で構成され、
他方の解除ピースに磁石若しくは磁性体が設けられ、又は他方の解除ピースが磁石若しくは磁性体で構成され、
両解除ピースが互いに吸着し合う向きで対向して配置された、
ことを特徴とする制動体付き打掛錠。
【請求項７】
請求項１から請求項６のいずれか１項に記載の制動体付き打掛錠において、
固定体又はストライクに係止突起又は係止凹部が設けられ、
プッシャーに前記係止突起に係止する係止凹部又は前記係止凹部に係止する係止突起が設けられ、
前記係止突起が前記係止凹部に係止すると、ストップ体が係止受け部に係止した状態で固定され、
前記係止凹部に係止した係止突起が当該係止凹部から脱出すると、前記ストップ体の固定が解除される、
ことを特徴とする制動体付き打掛錠。
【請求項８】
扉及び袖パネルのいずれか一方に設置される固定体と、当該固定体に回転可能に取り付けられた回転体と、回転体の回転を規制する制動体を備えた制動体付き打掛錠において、
前記制動体は前記回転体に設けられ、
前記制動体は、前記固定体に係止して前記回転体の回転を規制するストップ体を備え、
前記固定体に前記ストップ体が係止する係止受け部が設けられ、
前記ストップ体が前記固定体の係止受け部に係止すると、前記回転体の回転が規制され、
前記回転が規制された回転体を解錠方向に回転させることによって、前記ストップ体が前記固定体の係止受け部から脱出すると、前記回転体の回転の規制が解除される、
ことを特徴とする制動体付き打掛錠。
【発明の詳細な説明】
【技術分野】
【０００１】
本発明は打掛錠に関し、より詳しくは、打掛錠の不用意な解錠を防止する制動体を備えた制動体付き打掛錠に関する。
【背景技術】
【０００２】
不特定の人々が利用する施設にはトイレが設置されている。トイレに設置された各個室の扉や袖パネルには錠が設けられ、使用時に外から扉を開けられることがないように錠を掛けられるようにしてある。個室によっては、子連れの人（以下「保護者」という）が用を足す際に子供を座らせておくためのシートが設置されていることがあり、このようなシートが設けられた個室では、子供をシートに座らせておくことによって、保護者が安心して用を足すことができるというメリットがある。
【０００３】
ところが、この種のシートは保護者の目が届きやすい扉の近傍に設置されていることが多く、シートに座った子供が錠をいじっているうちに、誤って解錠されてしまうことがある。このような不用意な解錠を防止するため、本件出願人は、施錠状態にあるロックレバーの一端に被せるスライドロック（制動体）を備えた打掛錠（制動体付き打掛錠）を開発した（特許文献１）。
【先行技術文献】
【特許文献】
【０００４】
【特許文献１】特開２０１６−５３２９１号公報
【発明の概要】
【発明が解決しようとする課題】
【０００５】
前記特許文献１記載の発明によれば、打掛錠の不用意な解錠を防止することができるが、需要者からは他の構造による制動体付き打掛錠の提案も望まれている。また、緊急時に扉を室外から開ける場合、前記特許文献１の発明では、制動体の解除操作と打掛錠の解錠操作の二つの操作が必要であり、よりスムーズな解錠という点については改善の余地が残されていた。
【０００６】
本発明は前記事情に鑑みてなされたものであり、その解決課題は、新たな構造であって、従来の制動体付き打掛錠よりも非常開操作をスムーズに行うことのできる制動体付き打掛錠を提供することにある。
【課題を解決するための手段】
【０００７】
本発明の制動体付き打掛錠の一つは、扉及び袖パネルのいずれか一方に設置される固定体と、固定体に回転可能に取り付けられた回転体と、回転体の回転を規制する制動体を備えている。制動体は固定体に設けられている。制動体は、回転体に係止してその回転を規制するストップ体と、ストップ体を回転体に係止する方向に移動させるプッシャーを備えている。回転体にはストップ体が係止する係止受け部が設けられている。この制動体付き打掛錠は、プッシャーによってストップ体が回転体の係止受け部に係止すると回転体の回転が規制され、回転が規制された回転体を解錠方向に回転させることによって、ストップ体が回転体の係止受け部から脱出すると回転体の回転の規制が解除されるように構成されている。
【０００８】
本発明の制動体付き打掛錠の他の一つは、扉及び袖パネルのいずれか一方に設置される固定体と、固定体に回転可能に取り付けられた回転体と、回転体の回転を規制する制動体と、回転体を支持するストライクを備えている。制動体はストライクに設けられれている。制動体は、回転体に係止してその回転を規制するストップ体と、ストップ体を回転体に係止する方向に移動させるプッシャーを備えている。回転体にはストップ体が係止する係止受け部が設けられている。この制動体付き打掛錠は、プッシャーによってストップ体が回転体の係止受け部に係止すると回転体の回転が規制され、回転が規制された回転体を解錠方向に回転させることによって、ストップ体が回転体の係止受け部から脱出すると回転体の回転の規制が解除されるように構成されている。
【発明の効果】
【０００９】
本発明の制動体付き打掛錠は、回転体の回転を規制する制動体を備えているため、打掛錠の不用意な解錠を防止することができる。また、回転体を解錠方向に回転させるだけで回転体の回転規制が解除されるように構成されているため、室外から回転体を解錠操作するだけ（一つの操作をするだけ）で扉を開くことができる。
【図面の簡単な説明】
【００１０】
【図１】本発明の制動体付き打掛錠を扉に取付けた場合の一例を示す斜視図。
【図２】図１の制動体付き打掛錠を前面側から見た場合の詳細図。
【図３】図１の制動体付き打掛錠を裏面側から見た場合の詳細図。
【図４】（ａ）〜（ｃ）は図１の制動体付き打掛錠のプッシャ―を内向きに押した際のストップ体の動作説明図。
【図５】（ａ）〜（ｃ）は図１の制動体付き打掛錠のプッシャ―を内向きに押した際のストップ体の動作を説明する詳細図。
【図６】（ａ）〜（ｃ）は図１の制動体付き打掛錠のプッシャ―を内向きに押した際の解除ピースの動作説明図。
【図７】本発明の制動体付き打掛錠を扉に取付けた場合の他例を示す斜視図。
【図８】図７の制動体付き打掛錠を前面側から見た場合の詳細図。
【図９】図７の制動体付き打掛錠を裏面側から見た場合の詳細図。
【図１０】（ａ）〜（ｃ）は図７の制動体付き打掛錠のプッシャ―を内向きに押した際のストップ体の動作説明図。
【図１１】（ａ）〜（ｃ）は図７の制動体付き打掛錠のプッシャ―を内向きに押した際のストップ体の動作を説明する詳細図。
【図１２】（ａ）〜（ｃ）は図７の制動体付き打掛錠のプッシャ―を内向きに押した際の解除ピースの動作説明図。
【図１３】（ａ）〜（ｃ）は解除ピースのない制動体付き打掛錠の回転体の回転を規制する場合の動作説明図。
【図１４】（ａ）〜（ｃ）は解除ピースのない制動体付き打掛錠の回転体の回転規制を解除する場合の動作説明図。
【図１５】（ａ）〜（ｃ）は解除ピースのない制動体付き打掛錠の回転体の回転規制を解除する場合の動作説明図。
【図１６】（ａ）（ｂ）は制動体が回転体に設けられた制動体付き打掛錠の一例を示す斜視図。
【図１７】図１６に示す制動体付き打掛錠を前面側から見た場合の詳細図。
【図１８】図１６に示す制動体付き打掛錠を裏面側から見た場合の詳細図。
【図１９】（ａ）（ｂ）は図１６の制動体付き打掛錠のストップ体を押した際の動作説明図。
【図２０】（ａ）（ｂ）は図１６の制動体付き打掛錠のストップ体を押した際の動作説明図。
【図２１】制動体が回転体に設けられた制動体付き打掛錠を前面側から見た場合の詳細図。
【図２２】図２１に示す制動体付き打掛錠を前面側の他の角度からから見た場合の詳細図。
【図２３】（ａ）（ｂ）は図２１の制動体付き打掛錠のストップ体を押した際の動作説明図。
【図２４】（ａ）（ｂ）は図２１の制動体付き打掛錠のストップ体を押した際の動作説明図。
【発明を実施するための形態】
【００１１】
（実施形態１）
本発明の制動体付き打掛錠の第一の実施形態を、図面を参照して説明する。なお、本願では、特に断りがない限り、制動体付き打掛錠を扉Ａ及び袖パネルＢに取付けた状態（図１の状態）を基準に、上下、左右、前後と表現する。
【００１２】
本発明の制動体付き打掛錠は、扉Ａや袖パネルＢに取付けて使用するものである。図１では、制動体付き打掛錠を扉Ａに取り付ける場合を一例として示しているが、本発明の制動体付き打掛錠は袖パネルＢに取り付けることもできる。
【００１３】
一例として図１に示す制動体付き打掛錠は、錠本体１０及び制動体２０を備えている。図２及び図３に示すように、この実施形態の錠本体１０は、扉Ａに固定される固定体１１と、固定体１１に回転可能に取り付けられた回転体１２を備えている。制動体２０は固定体１１に設けられている。
【００１４】
図２及び図３に示すように、この実施形態の固定体１１はリング状の回転体保持部１３と、回転体保持部１３に外向きに突設された収容部１４を備えている。回転体保持部１３は回転体１２を回転可能に保持する部分、収容部１４は制動体２０を構成する各部材（詳細は後述する）が収容される部分である。回転体保持部１３及び収容部１４は一体に構成されている。
【００１５】
図３に示すように、前記回転体保持部１３は、リング状の外周壁１３ａと外周壁１３ａの内側に立設されたリング状の内周壁１３ｂを備えている。内周壁１３ｂの内側には、回転体１２の一部が収まるようにしてある。外周壁１３ａと内周壁１３ｂの間には、嵌合部の扉Ａへの固定に用いる円筒状の軸体１５が間隔をあけて二本裏向きに突設されている。
【００１６】
この実施形態の収容部１４は、前側壁１４ａ、上側壁１４ｂ及び下側壁１４ｃを備えている。前側壁１４ａ、上側壁１４ｂ、下側壁１４ｃの内側には装備空間１４ｄが設けられている。収容部１４の裏面側には、装備空間１４ｄと連通する裏面開口部１４ｅが設けられている。
【００１７】
収容部１４の上側壁１４ｂ及び下側壁１４ｃには、それぞれ後述する解除ピース２４の一部が出入りするピース出入り口１４ｆが、収容部１４の前側壁１４ａには後述するストップ体２１の一部が挿通する挿通孔１４ｇが開口されている。
【００１８】
前記回転体１２は、回転体保持部１３に回転可能に取り付けられた回転体ベース１２ａと、回転体ベース１２ａに設けられたロックレバー１２ｂを備えている。ロックレバー１２ｂは止め軸１２ｇ（図４）で回転体ベース１２ａに固定されている。この実施形態の回転体ベース１２ａは、前面側に山形状のつまみ部を備えた部材であり、その裏面側の一部が内周壁１３ｂの内側に収まるようにしてある。嵌合凸部と内周壁１３ｂの間にはベアリング１２ｃ（図４（ａ）〜（ｃ））が設けられ、当該ベアリング１２ｃによって回転体１２がスムーズに回転するようにしてある。
【００１９】
回転体ベース１２ａに設けられたロックレバー１２ｂは丸棒状であり、その長手方向両端側が回転体ベース１２ａの外側に突出している。説明の便宜上、以下では、突出長が短い方を第一突出部１２ｄと、第一突出部１２ｄよりも突出長が長い方を第二突出部１２ｅという。
【００２０】
ロックレバー１２ｂの第一突出部１２ｄには、後述するストップ体２１が係止する係止受け部１２ｆ（図３）が設けられている。この実施形態の係止受け部１２ｆは断面視Ｖ字状の溝であるが、係止受け部１２ｆはストップ体２１が係止する形状であれば溝でなくてもよく、円形の孔などとすることもできる。係止受け部１２ｆは前側壁１４ａに開口された挿通孔１４ｇと前後方向に重なる位置に設けられている。具体的には、挿通孔１４ｇを通過したストップ体２１の先端（後述する係止部２１ｂ）が係止する位置に設けられている。係止受け部１２ｆの形状は、ストップ体２１の先端の形状に合わせてある。
【００２１】
前記制動体２０は、回転体１２の回転を規制する部材である。この実施形態の制動体２０は、ストップ体２１と、プッシャー２２と、裏蓋２３と、解除ピース２４を備えている。この実施形態のストップ体２１は四角柱状（細長のピン状）の胴体部２１ａと、その胴体部２１ａの先端側に設けられた山形の係止部２１ｂを備えている。ストップ体２１は挿通孔１４ｇに挿通可能な太さ及び長さとしてあり、係止部２１ｂは前記係止受け部１２ｆに係止する大きさ及び形状としてある。
【００２２】
ストップ体２１の上下面にはガイド突起２１ｃが突設されている。この実施形態のガイド突起２１ｃは、被押圧斜面２１ｄを備えた三角柱状である。被押圧斜面２１ｄは、プッシャー２２に設けられたガイド斜面２２ｅ（後述する）に当接して押圧される部分である。
【００２３】
前記プッシャー２２は、押し部２２ａと、押し部２２ａの先方に設けられた胴部２２ｂと、胴部２２ｂの先方に設けられた当接部２２ｃを備えている。押し部２２ａは操作時に指で押す部分、胴部２２ｂはストップ体２１を前後方向に移動させる部分、当接部２２ｃは吸着する両解除ピース２４に当接し、両解除ピース２４を引き離しながらそれらの一部をピース出入り口１４ｆから押し出す部分である。
【００２４】
胴部２２ｂには、前後方向に貫通する貫通孔２２ｄが設けられている。貫通孔２２ｄはストップ体２１が収まる空間である。貫通孔２２ｄの周壁の押し部２２ａ側の位置には、ストップ体２１の被押圧斜面２１ｄに当接するガイド斜面２２ｅ（図４（ａ）〜（ｃ））が設けられている。ガイド斜面２２ｅは二つの被押圧斜面２１ｄに当接する二カ所に設けられている。ガイド斜面２２ｅに代えて上下の周壁にストップ体２１の被押圧斜面２１ｄに当接する斜めガイド孔（図示しない）を設けることもできる。
【００２５】
前記当接部２２ｃは正面視先鋭の山形状であり、胴部２２ｂと連続する部分には上下方向に突き出した鍔部２２ｆが設けられている。当接部２２ｃの裏面には、裏蓋２３に設けられた係止突起２３ｃ（後述する）が係止する凹溝２２ｇが設けられている。
【００２６】
前記裏蓋２３は、収容部１４の装備空間１４ｄ内に収容されたストップ体２１及びプッシャー２２を押さえるものである。この実施形態の裏蓋２３は方形状であり、中心付近にはストップ体２１の後端側が収まる支持孔２３ａが設けられている。支持孔２３ａの左右には細長の開口２３ｂが設けられている。裏蓋２３の前面の内、両開口２３ｂの間には凹溝２２ｇに係止する係止突起２３ｃが設けられている。
【００２７】
前記解除ピース２４は、ピース本体２４ａとピース本体２４ａの一端側に設けられたピース鍔２４ｂを備えた角形のブロックである。それぞれの解除ピース２４のピース本体２４ａには磁石（マグネット）２４ｃが埋設されている。両マグネット２４ｃは両解除ピース２４が吸着する向きで設けられている。装備空間１４ｄ内に収容された両解除ピース２４は、ピース鍔２４ｂがピース出入り口１４ｆの内周縁に係止してピース出入り口１４ｆから抜け落ちないようにしてある。
【００２８】
この実施形態の制動体付き打掛錠は、プッシャー２２の操作でストップ体２１を係止受け部１２ｆに係止させることによって回転体１２の回転を規制することができ、解除ピース２４の操作でストップ体２１を係止受け部１２ｆから脱出させることによって回転体１２の回転規制を解除することができる。
【００２９】
（実施形態２）
本発明の制動体付き打掛錠の第二の実施形態を、図面を参照して説明する。この実施形態の制動体付き打掛錠は、錠本体１０、制動体２０及びストライク３０を備えている。実施形態１とは異なり、この実施形態では、制動体２０がストライク３０に設けられている。以下、実施形態１と同様の構成についてはその説明を適宜省略し、実施形態１と異なる部分を中心に説明する。なお、図７には、錠本体１０が扉Ａに、ストライク３０が袖パネルＢに取り付けられた場合を一例として示しているが、錠本体１０を袖パネルＢに、ストライク３０を扉Ａに取り付けることもできる。
【００３０】
図８及び図９に示すように、この実施形態の錠本体１０は、扉Ａに固定される固定体１１と、固定体１１に回転可能に取り付けられた回転体１２を備えている。固定体１１は実施形態１と同様の回転体保持部１３を備えているが、実施形態１の収容部１４に相当する構成は備えていない。
【００３１】
回転体１２は、固定体１１に回転可能に取り付けられた回転体ベース１２ａと、回転体ベース１２ａに設けられたロックレバー１２ｂを備えている。回転体ベース１２ａの構成は実施形態１と同様である。
【００３２】
実施形態１と同様、回転体ベース１２ａに設けられたロックレバー１２ｂは丸棒状であり、その長手方向両端側が回転体ベース１２ａの外側に突出している。実施形態１では、ストップ体２１が係止する係止受け部１２ｆが第一突出部１２ｄに設けられているが、この実施形態では、第二突出部１２ｅに係止受け部１２ｆが設けられている。係止受け部１２ｆは後述する前側壁３１ａに開口された挿通孔３１ｇと前後方向に重なる位置に設けられている。具体的には、挿通孔３１ｇを通過したストップ体２１の先端が係止する位置に設けられている。係止受け部１２ｆの形状は、実施形態１と同様である。
【００３３】
図８及び図９に示すように、この実施形態のストライク３０は階段状のブロックであり、制動体２０が収容された収容部３１と、収容部３１よりも前方に突出したレバー支持部３２を備えている。レバー支持部３２は、施錠位置にあるロックレバー１２ｂの第二突出部１２ｅを支持する部分である。レバー支持部３２は収容部３１の下側に設けられている。レバー支持部３２は収容部３１よりも前方に突出しており、その突出した部分にロックレバー１２ｂが支持されるようにしてある。
【００３４】
この実施形態の収容部３１は、前側壁３１ａ、右側壁３１ｂ及び左側壁３１ｃを備えている。前側壁３１ａ、右側壁３１ｂ、左側壁３１ｃの内側には装備空間３１ｄが設けられている。装備空間３１ｄには二つの解除ピース２４が収容されている。解除ピース２４の構造は実施形態１と同様である。収容部３１の裏面側には、装備空間３１ｄと連通する裏面開口部３１ｅが設けられている。
【００３５】
収容部３１の右側壁３１ｂ及び左側壁３１ｃには、解除ピース２４の一部が出入りするピース出入り口３１ｆが、収容部３１の前側壁３１ａにはストップ体２１の一部が挿通する挿通孔３１ｇが開口されている。
【００３６】
この実施形態の制動体２０は、実施形態１と同様、ストップ体２１と、プッシャー２２と、裏蓋２３と、解除ピース２４を備えている。ストップ体２１、プッシャー２２、裏蓋２３及び解除ピース２４の構成は、実施形態１と同様である。
【００３７】
実施形態１と同様、この実施形態の制動体付き打掛錠も、プッシャー２２の操作でストップ体２１を係止受け部１２ｆに係止させることによって回転体１２の回転を規制することができ、解除ピース２４の操作でストップ体２１を係止受け部１２ｆから脱出させることによって回転体１２の回転規制を解除することができる。
【００３８】
（実施形態３）
本発明の制動体付き打掛錠の第三の実施形態を、図面を参照して説明する。図１６（ａ）（ｂ）に示すように、この実施形態の制動体付き打掛錠は、錠本体１０及び制動体２０を備えている。実施形態１及び２とは異なり、この実施形態では、制動体２０が錠本体１０の回転体１２（図１７）に設けられている。以下、実施形態１又は２と同様の構成についてはその説明を適宜省略し、実施形態１又は２と異なる部分を中心に説明する。
【００３９】
図１７乃至図２０（ａ）（ｂ）に示すように、錠本体１０は、固定体１１と回転体１２を備えている。固定体１１は、回転体１２を回転可能に保持する回転体保持部１３を備えている。実施形態１と同様、回転体保持部１３は、リング状の外周壁１３ａと外周壁１３ａの内側に立設されたリング状の内周壁１３ｂを備えている。回転体保持部１３の外周壁１３ａの一部には他の部分よりも外側に突出した突出部１３ｃが設けられている。突出部１３ｃには、ストップ体２１が係止する係止受け部１３ｄが設けられている。
【００４０】
回転体保持部１３の外周壁１３ａと内周壁１３ｂの間には、軸体１５が挿通する軸体挿通孔１３ｅが設けられている。この実施形態では、内周壁１３ｂの内側にナット１２ｉが装備されている。ナット１２ｉは、内周壁１３ｂの内側の空間から抜け落ちないように、円盤状の内蓋１７を押さえている。内蓋１７の裏面側には二本の軸体１５が間隔をあけて突設されている。二本の軸体１５は軸体挿通孔１３ｅに挿通され、固定体１１の裏面側に突出している。
【００４１】
図１７乃至図２０（ａ）（ｂ）に示すように、前記回転体１２は、回転体保持部１３に回転可能に取り付けられた回転体ベース１２ａと、回転体ベース１２ａに設けられたロックレバー１２ｂを備えている。ロックレバー１２ｂは止め軸１２ｇで回転体ベース１２ａに固定されている。
【００４２】
この実施形態の回転体ベース１２ａには、前後方向に貫通するストップ体通路１２ｈが設けられている。ストップ体通路１２ｈは、回転体１２が施錠位置にあるときに、固定体１１の係止受け部１３ｄに連通するようにしてある。ストップ体通路１２ｈ内には、ストップ体２１が前後方向にスライド可能に差し込まれている。
【００４３】
一例として図１７乃至図２０（ａ）（ｂ）に示すストップ体２１は角柱状であり、ロックレバー１２ｂの端面と対向する面には山形状の規制突起２１ｅが設けられている。ストップ体２１は回転体保持部１３の係止受け部１３ｄに係止する方向に押し込めるようにしてある。係止受け部１３ｄは回転体１２の係止受け部１２ｆに相当するものであり、係止受け部１２ｆと同様の形状である。
【００４４】
前記回転体ベース１２ａに設けられたロックレバー１２ｂは丸棒状であり、ロックレバー１２ｂの第一突出部１２ｄの端面側には、ストップ体規制具２５が設けられている。
【００４５】
この実施形態のストップ体規制具２５は、付勢スプリング２５ａと規制体２５ｂを備えている。付勢スプリング２５ａと規制体２５ｂは、ロックレバー１２ｂの端面に開口する収容凹部１６内に収容されている。規制体２５ｂは先端にテーパー面を備えた円柱体であり、付勢スプリング２５ａの一端側に保持されている。規制体２５ｂは付勢スプリング２５ａによって外向きに付勢され、テーパー面が収容凹部１６の開口から常時突出している。突出した規制体２５ｂはストップ体２１に当接している。規制体２５ｂはストップ体２１の規制突起２１ｅに押されると、収容凹部１６内に収まるようにしてある。
【００４６】
（実施形態４）
本発明の制動体付き打掛錠の第四の実施形態を、図面を参照して説明する。この実施形態の制動体付き打掛錠の基本的構成は、前記実施形態３の制動体付き打掛錠と同様である。異なるのは、制動体２０の構成である。以下、実施形態３と同様の構成についてはその説明を適宜省略し、実施形態３と異なる部分を中心に説明する。
【００４７】
この実施形態の制動体２０は、ストップ体２１とストップ体規制具２５を備えている。図２１乃至図２４（ａ）（ｂ）に示すように、この実施形態のストップ体２１は、実施形態３のストップ体２１と同様の角柱状であり、ロックレバー１２ｂの端面と対向する面には、凹陥状の収まり部２１ｆが設けられている。収まり部２１ｆは、ストップ体規制具２５の突出部が収まる部分である。
【００４８】
ストップ体２１の収まり部２１ｆの前後には、ストップ体側吸着具２６が設けられている。この実施形態では、ストップ体側吸着具２６として円盤状のマグネットを用いている。ストップ体側吸着具２６には磁性体を用いることもできる。ストップ体側吸着具２６はストップ体２１の長さ方向に間隔をあけて二つ設けられている。両ストップ体側吸着具２６は、当該収まり部２１ｆの周壁を挟んでストップ体規制具２５に吸着する向きで設けられている。説明の便宜上、以下では、図中上側のストップ体側吸着具２６を「先方側吸着具２６ａ」といい、下側のストップ体側吸着具２６を「後方側吸着具２６ｂ」という。
【００４９】
前記ストップ体規制具２５は、ストップ体２１の動きを規制するものである。図２１乃至図２４（ａ）（ｂ）に示すように、この実施形態では、ストップ体規制具２５として平板状のマグネットを用いている。ストップ体規制具２５は半分程度が収容凹部１６内に収容され、残りの部分が収容凹部１６の開口から常時突出している。ストップ体規制具２５の突出部分は、収まり部２１ｆ内に配置される。
【００５０】
ストップ体側吸着具２６とストップ体規制具２５は、相互に吸着すればよく、マグネット（磁石）と磁性体を適宜の組合せで用いることができる。例えば、双方をマグネットとする、或いは一方をマグネットとし他方を磁性体とするといった組み合わせとすることができる。
【００５１】
（その他の実施形態）
前記実施形態１及び２では、回転体保持部１３と収容部１４が一体に構成された場合を一例としているが、回転体保持部１３と収容部１４は別体とすることもできる。
【００５２】
前記実施形態１及び２では、ピース本体２４ａにマグネット２４ｃが埋設された場合を一例としているが、マグネット２４ｃを埋設する代わりに、ピース本体２４ａ自体を磁石で構成することもできる。また、いずれか一方のピース本体２４ａにマグネット２４ｃを設け、又はいずれか一方のピース本体２４ａをマグネット２４ｃで構成し、他方のピース本体２４ａにマグネット２４ｃ若しくは磁性体（図示しない）を設け、又は他方のピース本体２４ａをマグネット２４ｃ若しくは磁性体で構成することによって、両解除ピース２４が互いに吸着し合うようにしてもよい。マグネット２４ｃや磁性体はピース本体２４ａに内蔵することも外装することもできる。なお、ピース本体２４ａは磁力による吸着力を備えないものとすることもできる。
【００５３】
前記実施形態１及び２では言及していないが、本発明の制動体付き打掛錠では、一方の解除ピース２４を押しただけでは回転規制が解除されず、両解除ピース２４を押した場合にのみ回転規制が解除されるようにすることもできる。
【００５４】
例えば、収容部１４や収容部３１の内壁（具体的には、上側壁１４ｂ及び下側壁１４ｃや右側壁３１ｂ及び左側壁３１ｃ）に鍔部２２ｆが嵌合する凹部を形成しておき、一方の解除ピース２４のみが押された場合には、押し方向先方側の鍔部２２ｆが当該凹部に嵌まってプッシャー２２が動かず、両解除ピース２４が押された場合には、鍔部２２ｆが当該凹部に嵌まらずにプッシャー２２及びストップ体２１が初期位置まで復帰する（ストップ体２１が係止受け部１２ｆから脱出する）ようにすることができる。
【００５５】
反対に、収容部１４や収容部３１の内壁に、鍔部２２ｆに相当する鍔部相当部を形成するとともに、プッシャー２２側に前記凹部に相当する凹部相当部を形成し、一方の解除ピース２４のみが押された場合には、押し方向先方側の鍔部相当部が凹部相当部に嵌まってプッシャー２２が動かず、両解除ピース２４が押された場合には、鍔部相当部が凹部相当部に嵌まらずにプッシャー２２及びストップ体２１が初期位置まで復帰するようにすることもできる。
【００５６】
背の低い子供は、自身の視界に入る下側の解除ピース２４のみを操作することが考えられるが、一方の解除ピース２４を押しただけでは回転規制が解除されないようにすることで、不用意な回転規制の解除を防止することができる。
【００５７】
前記実施形態１及び２では、プッシャー２２の裏面側に凹溝２２ｇが設けられ、裏蓋２３の表面側に係止突起２３ｃが設けられた場合を一例としているが、これとは反対に、プッシャー２２の裏面側に係止突起相当部を設け、裏蓋２３の表面側に凹溝相当部を設けることもできる。
【００５８】
前記実施形態１及び２では、解除ピース２４を備えた制動体付き打掛錠を一例としているが、解除ピース２４は省略することもできる。この場合、回転体１２の回転規制の解除は、ロックレバー１２ｂの操作によって行うことができる。
【００５９】
前記実施形態３では、ストップ体２１に規制突起２１ｅが設けられ、ロックレバー１２ｂにストップ体規制具２５が設けられた場合を一例としているが、これとは反対に、ストップ体２１にストップ体規制具２５を、ロックレバー１２ｂに規制突起２１ｅを設けることもできる。
【００６０】
前記実施形態４では、ストップ体２１にストップ体側吸着具２６及び収まり部２１ｆが設けられ、ロックレバー１２ｂにストップ体規制具２５が設けられた場合を一例としているが、これとは反対に、ストップ体２１にストップ体規制具２５を、ロックレバー１２ｂにストップ体側吸着具２６及び収まり部２１ｆを設けることもできる。
【００６１】
前記実施形態１〜４の制動体付き打掛錠は、あくまでも一例であり、本発明の制動体付き打掛錠の構成は、これら実施形態に限定されるものではない。各実施形態に記載の構成は、適宜他の実施形態の構成として適用することができる。
【００６２】
（動作１）
実施形態１の制動体付き打掛錠について、回転体１２の回転を規制する場合の動作と、回転体１２の回転規制を解除する場合の動作を、図面を参照して説明する。
【００６３】
はじめに、回転体１２の回転を規制する場合の動作について説明する。
【００６４】
図４（ａ）、図５（ａ）及び図６（ａ）は回転体１２の回転を規制する前の状態を示すものである。この状態では、マグネット２４ｃの磁力によって両解除ピース２４が吸着し、プッシャー２２の当接部２２ｃが両解除ピース２４の手前で停止している（図６（ａ））。
【００６５】
この状態で、プッシャー２２を内向きに押し込むと、プッシャー２２のガイド斜面２２ｅによってストップ体２１のガイド突起２１ｃが押され、ストップ体２１が前進する（図４（ａ）（ｂ）及び図５（ａ）（ｂ））。
【００６６】
この状態で、プッシャー２２の凹溝２２ｇと裏蓋２３の係止突起２３ｃが係止するまでプッシャー２２をさらに押込むと、プッシャー２２のガイド斜面２２ｅによってストップ体２１のガイド突起２１ｃが押されてストップ体２１がさらに前進し、その先端側がロックレバー１２ｂの係止受け部１２ｆに到達して回転体１２の回転が規制される（図４（ｂ）（ｃ）及び図５（ｂ）（ｃ））。
【００６７】
また、図４（ａ）、図５（ａ）及び図６（ａ）の状態でプッシャー２２を内向きに押し込むと、マグネット２４ｃの磁力によって吸着している両解除ピース２４がプッシャー２２の当接部２２ｃで押されて上下方向に引き離され、それぞれがピース出入り口１４ｆの外に突出する（図６（ａ）〜（ｃ））。
【００６８】
なお、当接部２２ｃの凹溝２２ｇに裏蓋２３の係止突起２３ｃが係止する前にプッシャー２２から指を離す（押しを解除する）と、両解除ピース２４がマグネット２４ｃの磁力によって吸着方向に引き戻され、その動きに伴って、プッシャー２２及びストップ体２１が元の位置（初期位置）まで押し戻される。
【００６９】
次に、回転体１２の回転規制を解除する場合の動作について説明する。
【００７０】
図４（ｃ）、図５（ａ）及び図６（ｃ）は、回転体１２の回転が規定された状態を示すものである。この状態では、両解除ピース２４がピース出入り口１４ｆの外に突出し（図６（ｃ））、ストップ体２１の係止部２１ｂがロックレバー１２ｂの係止受け部１２ｆに係止している（図４（ｃ））。
【００７１】
この状態で、両解除ピース２４を内向きに押し込み、プッシャー２２の凹溝２２ｇが裏蓋２３の係止突起２３ｃを乗り越えると、当該プッシャー２２が初期位置まで押し戻され、この動きに伴って、ストップ体２１の係止部２１ｂがロックレバー１２ｂの係止受け部１２ｆから脱出し、回転体１２の回転規制が解除される（図４（ａ）〜（ｃ）及び図５（ａ）〜（ｃ））。
【００７２】
なお、プッシャー２２の凹溝２２ｇが裏蓋２３の係止突起２３ｃを乗り越える前に両解除ピース２４から指を離す（押しを解除する）と、プッシャー２２によって両解除ピース２４がピース出入り口１４ｆの外に押し戻される。
【００７３】
解除ピース２４で回転規制を解除するほか、ロックレバー１２ｂを解錠方向に回転させることによって、回転体１２の回転規制を解除することもできる。ロックレバー１２ｂを解錠方向に回転させると、ロックレバー１２ｂに設けられた係止受け部１２ｆの内面によってストップ体２１が押し下げられ、回転体１２の回転規制が解除される。なお、ストップ体２１で回転が規制されたロックレバー１２ｂは、シートに座る月齢或いは年齢の子供の力では回転させられないようにしてある。
【００７４】
このように、ロックレバー１２ｂの解錠方向への回転によって回転体１２の回転規制を解除できるようにすることで、非常時に外部から解錠して扉をあける必要がある場合に、スムーズな解錠が可能となる。従来のスライドロック（制動体）を備えた打掛錠（制動体付き打掛錠）では、スライドロックの解除操作と打掛錠の解錠操作の二つの操作が必要であったが、この実施形態の制動体付き打掛錠では、室外からロックレバー１２ｂを解錠方向に回転させるだけ（打掛錠の解錠操作だけ）で、扉を開けることができるため、従来のスライドロック付きの打掛錠に比べて、非常開操作をスムーズに行うことができる。
【００７５】
（動作２）
実施形態２の制動体付き打掛錠について、回転体１２の回転を規制する場合の動作と、回転体１２の回転規制を解除する場合の動作を、図面を参照して説明する。
【００７６】
はじめに、回転体１２の回転を規制する場合の動作について説明する。
【００７７】
図１０（ａ）、図１１（ａ）及び図１２（ａ）は回転体１２の回転を規制する前の状態を示すものである。この状態では、マグネット２４ｃの磁力によって両解除ピース２４が吸着し、プッシャー２２の当接部２２ｃが両解除ピース２４の手前で停止している（図１２（ａ））。
【００７８】
この状態で、プッシャー２２を内向きに押し込むと、プッシャー２２のガイド斜面２２ｅによってストップ体２１のガイド突起２１ｃが押され、ストップ体２１が前進する（図１０（ａ）（ｂ）及び図１１（ａ）（ｂ））。
【００７９】
この状態で、プッシャー２２の凹溝２２ｇと裏蓋２３の係止突起２３ｃが係止するまでプッシャー２２をさらに押込むと、プッシャー２２のガイド斜面２２ｅによってストップ体２１のガイド突起２１ｃが押されてストップ体２１がさらに前進し、その先端側がロックレバー１２ｂの係止受け部１２ｆに到達して回転体１２の回転が規制される（図１０（ｂ）（ｃ）及び図１１（ｂ）（ｃ））。
【００８０】
また、図１０（ａ）、図１１（ａ）及び図１２（ａ）の状態でプッシャー２２を内向きに押し込むと、マグネット２４ｃの磁力によって吸着している両解除ピース２４がプッシャー２２の当接部２２ｃで押されて上下方向に引き離され、それぞれがピース出入り口３１ｆの外に突出する（図１２（ａ）〜（ｃ））。
【００８１】
なお、当接部２２ｃの凹溝２２ｇに裏蓋２３の係止突起２３ｃが係止する前にプッシャー２２から指を離す（押しを解除する）と、両解除ピース２４がマグネット２４ｃの磁力によって吸着方向に引き戻され、その動きに伴って、プッシャー２２及びストップ体２１が元の位置（初期位置）まで押し戻される。
【００８２】
次に、回転体１２の回転規制を解除する場合の動作について説明する。
【００８３】
図１０（ｃ）、図１１（ａ）及び図１２（ｃ）は、回転体１２の回転が規定された状態を示すものである。この状態では、両解除ピース２４はピース出入り口３１ｆの外に突出し、ストップ体２１の係止部２１ｂがロックレバー１２ｂの係止受け部１２ｆに係止している（図１２（ｃ））。
【００８４】
この状態で、両解除ピース２４を内向きに押し込み、プッシャー２２の凹溝２２ｇが裏蓋２３の係止突起２３ｃを乗り越えると、当該プッシャー２２が初期位置まで押し戻され、この動きに伴って、ストップ体２１の係止部２１ｂがロックレバー１２ｂの係止受け部１２ｆから脱出し、回転体１２の回転規制が解除される（図１０（ａ）〜（ｃ）及び図１１（ａ）〜（ｃ））。
【００８５】
なお、プッシャー２２の凹溝２２ｇが裏蓋２３の係止突起２３ｃを乗り越える前に両解除ピース２４から指を離す（押しを解除する）と、プッシャー２２によって両解除ピース２４がピース出入り口３１ｆの外に押し戻される。
【００８６】
実施形態１の制動体付き打掛錠と同様、実施形態２の制動体付き打掛錠も、ロックレバー１２ｂを解錠方向に回転させることによって、回転体１２の回転規制を解除することもできる。この場合の動作や効果は実施形態１と同様である。
【００８７】
（動作３）
解除ピース２４のない制動体付き打掛錠について、回転体１２の回転を規制する場合の動作と、回転体１２の回転規制を解除する場合の動作を、図面を参照して説明する。なお、図示した例は実施形態１の制動体付き打掛錠から解除ピース２４を省略した場合の例であるが、実施形態２の制動体付き打掛錠から解除ピース２４を省略した場合の動作も同様である。
【００８８】
はじめに、回転体１２の回転を規制する場合の動作について説明する。
【００８９】
図１３（ａ）は回転体１２の回転を規制する前の状態を示すものである。この状態では、プッシャー２２は裏蓋２３の係止突起２３ｃの手前の位置で停止している。
【００９０】
この状態で、プッシャー２２を内向きに押し込むと、プッシャー２２のガイド斜面２２ｅによってストップ体２１のガイド突起２１ｃが押され、ストップ体２１が前進する（図１３（ａ）（ｂ））。
【００９１】
この状態で、プッシャー２２の凹溝２２ｇと裏蓋２３の係止突起２３ｃが係止するまでプッシャー２２をさらに押し込むと、プッシャー２２のガイド斜面２２ｅによってストップ体２１のガイド突起２１ｃが押されてストップ体２１がさらに前進し、その先端側がロックレバー１２ｂの係止受け部１２ｆに到達して回転体１２の回転が規制される（図１３（ｂ）（ｃ））。
【００９２】
なお、当接部２２ｃの凹溝２２ｇに裏蓋２３の係止突起２３ｃが係止する前（係止突起２３ｃを乗り越える前）にプッシャー２２から指を離す（押しを解除する）と、プッシャー２２及びストップ体２１が元の位置（初期位置）まで押し戻される。
【００９３】
次に、回転体１２の回転規制を解除する場合の動作について説明する。
【００９４】
図１４（ａ）及び図１５（ａ）は、回転体１２の回転が規定された状態を示すものである。この状態では、ストップ体２１の係止部２１ｂがロックレバー１２ｂの係止受け部１２ｆに係止している（図１４（ａ）及び図１５（ａ））。
【００９５】
この状態で、ロックレバー１２ｂを解錠方向に回転させて、プッシャー２２の凹溝２２ｇが裏蓋２３の係止突起２３ｃを乗り越えさせると、当該プッシャー２２が初期位置まで押し戻され、この動きに伴って、ストップ体２１の係止部２１ｂがロックレバー１２ｂの係止受け部１２ｆから脱出し、回転体１２の回転規制が解除される（図１４（ａ）〜（ｃ）及び図１５（ａ）〜（ｃ））。
【００９６】
なお、プッシャー２２の凹溝２２ｇが裏蓋２３の係止突起２３ｃを乗り越える前にロックレバー１２ｂを離すと、ロックレバー１２ｂは施錠方向に引き戻される。
【００９７】
（動作４）
実施形態３の制動体付き打掛錠について、回転体１２の回転を規制する場合の動作と、回転体１２の回転規制を解除する場合の動作を、図面を参照して説明する。
【００９８】
はじめに、回転体１２の回転を規制する場合の動作について説明する。
【００９９】
図１９（ａ）及び図２０（ａ）は回転体１２の回転を規制する前の状態を示すものである。この状態では、ストップ体２１の係止部２１ｂは、回転体保持部１３の係止受け部１３ｄの手前の位置で停止している。また、ストップ体２１の規制突起２１ｅは、規制体２５ｂの手前の位置で停止している。
【０１００】
この状態で、ストップ体２１を回転体保持部１３の係止受け部１３ｄ側に押し込むと、ストップ体２１の係止突起２１ｅによって規制体２５ｂが押されて収容凹部１６内に引っこみ、ストップ体２１の係止突起２１ｅが規制体２５ｂを通過する。
【０１０１】
係止突起２１ｅが規制体２５ｂを通過すると、ストップ体２１の係止部２１ｂが回転体保持部１３の係止受け部１３ｄに到達して、回転体１２の回転が規制される（図１９（ｂ）及び図２０（ｂ））。
【０１０２】
なお、係止突起２１ｅが規制体２５ｂを通過すると、規制体２５ｂは付勢スプリング２５ａの付勢力によって元の位置に復帰し、係止突起２１ｅの反対側に当接する（図１９（ｂ））。これにより、回転体保持部１３の係止受け部１３ｄに到達したストップ体２１の戻り方向への移動が規制される（図１９（ｂ））。
【０１０３】
次に、回転体１２の回転規制を解除する場合の動作について説明する。
【０１０４】
図１９（ｂ）及び図２０（ｂ）は、回転体１２の回転が規定された状態を示すものである。この状態では、ストップ体２１の係止部２１ｂが回転体保持部１３の係止受け部１３ｄに係止している。
【０１０５】
この状態で、ロックレバー１２ｂを解錠方向に回転させると、ストップ体２１の係止部２１ｂが係止受け部１３ｄの内面に当接し、ストップ体２１が図中上方向に持ち上がる（図１９（ａ）（ｂ）及び図２０（ａ）（ｂ））。このとき、持ち上がるストップ体２１の規制突起２１ｅによって規制体２５ｂが押されて収容凹部１６内に引っこみ、ストップ体２１の係止突起２１ｅが規制体２５ｂを通過する。
【０１０６】
ストップ体２１の係止突起２１ｅが規制体２５ｂを通過すると、ストップ体２１が回転体保持部１３の係止受け部１３ｄから脱出し、回転体１２の回転規制が解除される（図１９（ａ）（ｂ）及び図２０（ａ）（ｂ））。
【０１０７】
なお、係止突起２１ｅが規制体２５ｂを通過すると、規制体２５ｂは付勢スプリング２５ａの付勢力によって元の位置に復帰し、係止突起２１ｅの反対側に当接する（図１９（ａ））。
【０１０８】
（動作５）
実施形態４の制動体付き打掛錠について、回転体１２の回転を規制する場合の動作と、回転体１２の回転規制を解除する場合の動作を、図面を参照して説明する。
【０１０９】
はじめに、回転体１２の回転を規制する場合の動作について説明する。
【０１１０】
図２３（ａ）及び図２４（ａ）は回転体１２の回転を規制する前の状態を示すものである。この状態では、後方側吸着具２６ｂがストップ体規制具２５側に位置しており、ストップ体２１の係止部２１ｂが回転体保持部１３の係止受け部１３ｄの手前の位置で停止している。
【０１１１】
この状態で、ストップ体２１を回転体保持部１３の係止受け部１３ｄ側に押し込むと、後方側吸着具２６ｂがストップ体規制具２５側から離れ、先方側吸着具２６ａがストップ体規制具２５に接近する。
【０１１２】
先方側吸着具２６ａがストップ体規制具２５に接近すると、ストップ体２１の係止部２１ｂが回転体保持部１３の係止受け部１３ｄに到達して、回転体１２の回転が規制される（図２３（ｂ）及び図２４（ｂ））。
【０１１３】
なお、先方側吸着具２６ａがストップ体規制具２５に接近すると、両者の吸着力によって、回転体保持部１３の係止受け部１３ｄに到達したストップ体２１の戻り方向への移動が規制される（図２３（ｂ））。
【０１１４】
次に、回転体１２の回転規制を解除する場合の動作について説明する。
【０１１５】
図２３（ｂ）及び図２４（ｂ）は、回転体１２の回転が規定された状態を示すものである。この状態では、ストップ体２１の係止部２１ｂが回転体保持部１３の係止受け部１３ｄに係止している。
【０１１６】
この状態で、ロックレバー１２ｂを解錠方向に回転させると、ストップ体２１の係止部２１ｂが係止受け部１３ｄの内面に当接し、ストップ体２１が図中上方向に持ち上がる（図２３（ａ）（ｂ）及び図２４（ａ）（ｂ））。このとき、持ち上がるストップ体２１の先方側吸着具２６ａがストップ体規制具２５側から離れ、後方側吸着具２６ｂがストップ体規制具２５に接近する。
【０１１７】
後方側吸着具２６ｂがストップ体規制具２５に接近すると、ストップ体２１が回転体保持部１３の係止受け部１３ｄから脱出し、回転体１２の回転規制が解除される（図２３（ａ）（ｂ）及び図２４（ａ）（ｂ））。
【０１１８】
なお、後方側吸着具２６ｂがストップ体規制具２５に接近すると、両者の吸着力によって、ストップ体２１が押込み前の位置で停止する（図２３（ａ）及び図２４（ａ））。
【産業上の利用可能性】
【０１１９】
本発明の制動体付き打掛錠は、トイレブースや更衣室といった施錠が必要な個室用の錠として広く利用することができる。
【符号の説明】
【０１２０】
１０    錠本体
１１    固定体
１２    回転体
１２ａ  回転体ベース
１２ｂ  ロックレバー
１２ｃ  ベアリング
１２ｄ  第一突出部
１２ｅ  第二突出部
１２ｆ  係止受け部
１２ｇ  止め軸
１２ｈ  ストップ体通路
１２ｉ  ナット
１３    回転体保持部
１３ａ  外周壁
１３ｂ  内周壁
１３ｃ  突出部
１３ｄ  係止受け部
１３ｅ  軸体挿通孔
１４    収容部
１４ａ  前側壁
１４ｂ  上側壁
１４ｃ  下側壁
１４ｄ  装備空間
１４ｅ  裏面開口部
１４ｆ  ピース出入り口
１４ｇ  挿通孔
１５    軸体
１６    収容凹部
１７    内蓋
２０    制動体
２１    ストップ体
２１ａ  胴体部
２１ｂ  係止部
２１ｃ  ガイド突起
２１ｄ  被押圧斜面
２１ｅ  規制突起
２１ｆ  収まり部
２２    プッシャー
２２ａ  押し部
２２ｂ  胴部
２２ｃ  当接部
２２ｄ  貫通孔
２２ｅ  ガイド斜面
２２ｆ  鍔部
２２ｇ  凹溝
２３    裏蓋
２３ａ  支持孔
２３ｂ  開口
２３ｃ  係止突起
２４    解除ピース
２４ａ  ピース本体
２４ｂ  ピース鍔
２４ｃ  マグネット（磁石）
２５    ストップ体規制具
２５ａ  付勢スプリング
２５ｂ  規制体
２６    ストップ体側吸着具
２６ａ  先方側吸着具
２６ｂ  後方側吸着具
３０    ストライク
３１    収容部
３１ａ  前側壁
３１ｂ  右側壁
３１ｃ  左側壁
３１ｄ  装備空間
３１ｅ  裏面開口部
３１ｆ  ピース出入り口
３１ｇ  挿通孔
３２    レバー支持部
Ａ      扉
Ｂ      袖パネル
【図１】
2020147945.tif 000003
【図２】
2020147945.tif 000004
【図３】
2020147945.tif 000005
【図４】
2020147945.tif 000006
【図５】
2020147945.tif 000007
【図６】
2020147945.tif 000008
【図７】
2020147945.tif 000009
【図８】
2020147945.tif 000010
【図９】
2020147945.tif 000011
【図１０】
2020147945.tif 000012
【図１１】
2020147945.tif 000013
【図１２】
2020147945.tif 000014
【図１３】
2020147945.tif 000015
【図１４】
2020147945.tif 000016
【図１５】
2020147945.tif 000017
【図１６】
2020147945.tif 000018
【図１７】
2020147945.tif 000019
【図１８】
2020147945.tif 000020
【図１９】
2020147945.tif 000021
【図２０】
2020147945.tif 000022
【図２１】
2020147945.tif 000023
【図２２】
2020147945.tif 000024
【図２３】
2020147945.tif 000025
【図２４】
2020147945.tif 000026